(57)【特許請求の範囲】
【請求項１】
本体を含み、前記本体の底面には底板が固定的に設けられ、前記底板の底面には二つの固定ブロックが固定的に設けられ、二つの前記固定ブロックにおいて互いに近接した側面にはいずれも摩擦板がヒンジで連結され、前記摩擦板を地面に貼り付けることができ、前記本体の中にはケーブル入り空間が設けられ、前記ケーブル入り空間の中には二つの上下対称となる長スライド板が設けられ、二つの前記長スライド板において互いに近接した側面にはいずれも二つの左右対称となる回転輪が回転可能に設けられ、四つの前記回転輪はケーブルを右方に輸送でき、前記本体の右側面と前記本体の上部とにはいずれも被覆剥がし箱が固定的に設けられ、前記被覆剥がし箱の中には被覆剥がし空間が設けられ、前記被覆剥がし空間の中には二つの上下対称となるナイフ付き挟み板がスライド可能に設けられ、前記ナイフ付き挟み板はケーブルに被覆剥がし作業を行うことができることを特徴とする移動式の絶縁被覆剥がし装置。
【請求項２】
前記被覆剥がし空間の底壁には第一モーターが固定的に嵌められ、前記第一モーターの上端には上方に延びる縦ネジ棒が伝動可能に連結され、前記縦ネジ棒は二つの前記ナイフ付き挟み板とネジ山により連結され、二つの前記ナイフ付き挟み板の右側にはスライド板がスライド可能に設けられ、前記スライド板の左側が前記ナイフ付き挟み板の中に挿入されており、二つの前記スライド板においての互いに近接した側面にはいずれも粗面板が固定的に設けられ、前記粗面板はケーブルの絶縁被覆を挟むことができ、底部に位置する前記スライド板の底面には押し板が固定的に設けられ、前記押し板は前記被覆剥がし空間の底壁にスライド可能に設けられ、前記第一モーターの右側には第二モーターが固定的に設けられ、前記第二モーターは前記押し板と伝動可能に連結されていることを特徴とする請求項１に記載の移動式の絶縁被覆剥がし装置。
【請求項３】
上部に位置する前記被覆剥がし箱の底面には昇降機構が固定的に設けられ、前記昇降機構のもう一端は本体と連結され、前記昇降機構は伸縮することで前記被覆剥がし箱の昇降を制御でき、上部に位置する前記被覆剥がし箱の左側面には二つの上下対称となる転輪が回転可能に設けられていることを特徴とする請求項２に記載の移動式の絶縁被覆剥がし装置。
【請求項４】
前記ケーブル入り空間の上壁には第三モーターが固定的に嵌められ、前記第三モーターの底端には挟持ネジ棒が伝動可能に連結され、前記挟持ネジ棒は二つの前記長スライド板とネジ山により連結されていることを特徴とする請求項３に記載の移動式の絶縁被覆剥がし装置。
【請求項５】
前記ケーブル入り空間の底部にある前記本体の中には動力空間が設けられ、前記動力空間の中には二つの左右対称となるスプラインスリーブが回転可能に設けられ、前記動力空間の底壁には第四モーターが固定的に嵌められ、前記第四モーターの上壁は左側に位置する前記スプラインスリーブと伝動可能に連結し、底部に位置する前記長スライド板の中には左右対称となる二つのスプライン軸が回転可能に設けられ、前記スプライン軸の上端には歯車が固定的に設けられ、前記歯車は前記回転輪の前側面と噛み合っており、前記スプライン軸の底端は前記スプラインスリーブの中に挿入されて前記スプラインスリーブとスプラインにより連結され、二つの前記スプラインスリーブはベルトにより連結されていることを特徴とする請求項４に記載の移動式の絶縁被覆剥がし装置。
【請求項６】
前記本体の底面には左右対称となる二つのねじ山ブロックがスライド可能に設けられ、前記ねじ山ブロックは前記摩擦板と連結棒によりヒンジで連結され、前記本体の底面には左右に延びる横ネジ棒が回転可能に設けられ、前記横ネジ棒は前記ねじ山ブロックとネジ山により連結され、前記横ネジ棒において左側に延びた部分の外周には大歯車が固定的に設けられ、前記大歯車の後側にはラックがスライド可能に設けられ、前記ラックは前記大歯車と噛み合っていることを特徴とする請求項５に記載の移動式の絶縁被覆剥がし装置。
【請求項７】
前記本体の左側には押圧板がヒンジで連結され、前記押圧板の底面にはヒンジ棒がヒンジで連結され、前記ヒンジ棒のもう一端は前記ラックとヒンジで連結されていることを特徴とする請求項６に記載の移動式の絶縁被覆剥がし装置。
【発明の詳細な説明】
【技術分野】
【０００１】
本願発明はケーブルの技術分野に関し、具体的には移動式の絶縁被覆剥がし装置である。
【背景技術】
【０００２】
ケーブルの製造が完了した後、通常、ローラーでケーブルを巻取り、使用する時にローラーを回転軸に挿入し、手動でケーブルを引き出し、手動でケーブルの被覆を剥がし、ケーブルを回路に接続するのであり、人力を使う方法は煩雑で、時間と労力がかかり、作業の効率が低い。
【先行技術文献】
【特許文献】
【０００３】
【特許文献１】中国特許出願公開第１０１７５２８０９号明細書
【発明の概要】
【発明が解決しようとする課題】
【０００４】
本願発明の目的は、移動式の絶縁被覆剥がし装置を提供することにより、上記の技術問題を克服する。
【課題を解決するための手段】
【０００５】
上記の課題を解決するため、本願発明は以下の技術プランを採用する：本体を含み、前記本体の底面には底板が固定的に設けられ、前記底板の底面には二つの固定ブロックが固定的に設けられ、二つの前記固定ブロックにおいて互いに近接した側面にはいずれも摩擦板がヒンジで連結され、前記摩擦板を地面に貼り付けることができ、前記本体の中にはケーブル入り空間が設けられ、前記ケーブル入り空間の中には二つの上下対称となる長スライド板が設けられ、二つの前記長スライド板において互いに近接した側面にはいずれも二つの左右対称となる回転輪が回転可能に設けられ、四つの前記回転輪はケーブルを右方に輸送でき、前記本体の右側面と前記本体の上部とにはいずれも被覆剥がし箱が固定的に設けられ、前記被覆剥がし箱の中には被覆剥がし空間が設けられ、前記被覆剥がし空間の中には二つの上下対称となるナイフ付き挟み板がスライド可能に設けられ、前記ナイフ付き挟み板はケーブルに被覆剥がし作業を行うことができる。
【０００６】
更の技術プラン、前記被覆剥がし空間の底壁には第一モーターが固定的に嵌められ、前記第一モーターの上端には上方に延びる縦ネジ棒が伝動可能に連結され、前記縦ネジ棒は二つの前記ナイフ付き挟み板とネジ山により連結され、二つの前記ナイフ付き挟み板の右側にはスライド板がスライド可能に設けられ、前記スライド板の左側が前記ナイフ付き挟み板の中に挿入されており、二つの前記スライド板においての互いに近接した側面にはいずれも粗面板が固定的に設けられ、前記粗面板はケーブルの絶縁被覆を挟むことができ、底部に位置する前記スライド板の底面には押し板が固定的に設けられ、前記押し板は前記被覆剥がし空間の底壁にスライド可能に設けられ、前記第一モーターの右側には第二モーターが固定的に設けられ、前記第二モーターは前記押し板と伝動可能に連結されている。
【０００７】
優選の技術プランとして、上部に位置する前記被覆剥がし箱の底面には昇降機構が固定的に設けられ、前記昇降機構のもう一端は本体と連結され、前記昇降機構は伸縮することで前記被覆剥がし箱の昇降を制御でき、上部に位置する前記被覆剥がし箱の左側面には二つの上下対称となる転輪が回転可能に設けられている。
【０００８】
優選の技術プランとして、前記ケーブル入り空間の上壁には第三モーターが固定的に嵌められ、前記第三モーターの底端には挟持ネジ棒が伝動可能に連結され、前記挟持ネジ棒は二つの前記長スライド板とネジ山により連結されている。
【０００９】
優選の技術プランとして、前記ケーブル入り空間の底部にある前記本体の中には動力空間が設けられ、前記動力空間の中には二つの左右対称となるスプラインスリーブが回転可能に設けられ、前記動力空間の底壁には第四モーターが固定的に嵌められ、前記第四モーターの上壁は左側に位置する前記スプラインスリーブと伝動可能に連結し、底部に位置する前記長スライド板の中には左右対称となる二つのスプライン軸が回転可能に設けられ、前記スプライン軸の上端には歯車が固定的に設けられ、前記歯車は前記回転輪の前側面と噛み合っており、前記スプライン軸の底端は前記スプラインスリーブの中に挿入されて前記スプラインスリーブとスプラインにより連結され、二つの前記スプラインスリーブはベルトにより連結されている。
【００１０】
優選の技術プランとして、前記本体の底面には左右対称となる二つのねじ山ブロックがスライド可能に設けられ、前記ねじ山ブロックは前記摩擦板と連結棒によりヒンジで連結され、前記本体の底面には左右に延びる横ネジ棒が回転可能に設けられ、前記横ネジ棒は前記ねじ山ブロックとネジ山により連結され、前記横ネジ棒において左側に延びた部分の外周には大歯車が固定的に設けられ、前記大歯車の後側にはラックがスライド可能に設けられ、前記ラックは前記大歯車と噛み合っている。
【００１１】
優選の技術プランとして、前記本体の左側には押圧板がヒンジで連結され、前記押圧板の底面にはヒンジ棒がヒンジで連結され、前記ヒンジ棒のもう一端は前記ラックとヒンジで連結されている。
【発明の効果】
【００１２】
本願発明は、摩擦板と連結棒とを地面に固定して、ローラーの回転によりケーブルを自動的に前方に押し進め、人力でケーブルを引く手間を省き、労力を削減し、効率を向上させ、ナイフ付き挟み板とスライド板とによりケーブルの絶縁被覆に対して剥がし作業を行うことができ、しかも、高い所にある被覆剥がし箱は高い所に位置するケーブルに被覆剥がし作業を行うことができ、本願発明の構造は簡単で、操作が便利で、普及することに便利
である。
【図面の簡単な説明】
【００１３】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１４】
【図１】図１は本願発明の移動式の絶縁被覆剥がし装置の内部全体構成模式図
【図２】図２は本願発明における上部の被覆剥がし箱の模式図
【図３】図３は本願発明における本体の部分模式図
【図４】図４は本願発明の図１におけるＡの局部拡大模式図
【発明を実施するための形態】
【００１５】
ここでは図１〜４を参照し、移動式の絶縁被覆剥がし装置であって、本体１０を含み、前記本体１０の底面には底板６０が固定的に設けられ、前記底板６０の底面には二つの固定ブロック６１が固定的に設けられ、二つの前記固定ブロック６１において互いに近接した側面にはいずれも摩擦板３６がヒンジで連結され、前記摩擦板３６を地面に貼り付けることができ、前記本体１０の中にはケーブル入り空間２４が設けられ、前記ケーブル入り空間２４の中には二つの上下対称となる長スライド板２２が設けられ、二つの前記長スライド板２２において互いに近接した側面にはいずれも二つの左右対称となる回転輪２６が回転可能に設けられ、四つの前記回転輪２６はケーブルを右方に輸送でき、前記本体１０の右側面と前記本体１０の上部とにはいずれも被覆剥がし箱１１が固定的に設けられ、前記被覆剥がし箱１１の中には被覆剥がし空間１４が設けられ、前記被覆剥がし空間１４の中には二つの上下対称となるナイフ付き挟み板１５がスライド可能に設けられ、前記ナイフ付き挟み板１５はケーブルに被覆剥がし作業を行うことができる。
【００１６】
優先的には、前記被覆剥がし空間１４の底壁には第一モーター１７が固定的に嵌められ、前記第一モーター１７の上端には上方に延びる縦ネジ棒１６が伝動可能に連結され、前記縦ネジ棒１６は二つの前記ナイフ付き挟み板１５とネジ山により連結され、二つの前記ナイフ付き挟み板１５の右側にはスライド板１８がスライド可能に設けられ、前記スライド板１８の左側が前記ナイフ付き挟み板１５の中に挿入されており、二つの前記スライド板１８においての互いに近接した側面にはいずれも粗面板２１が固定的に設けられ、前記粗面板２１はケーブルの絶縁被覆を挟むことができ、底部に位置する前記スライド板１８の底面には押し板１９が固定的に設けられ、前記押し板１９は前記被覆剥がし空間１４の底壁にスライド可能に設けられ、前記第一モーター１７の右側には第二モーター２０が固定的に設けられ、前記第二モーター２０は前記押し板１９と伝動可能に連結され、前記第一モーター１７の作業を制御することにより、前記ナイフ付き挟み板１５がケーブルの絶縁被覆に口を切り、前記第二モーター２０の作業を制御することにより、前記スライド板１８を右方にスライドさせ、絶縁被覆が剥離する。
【００１７】
好ましくは、上部に位置する前記被覆剥がし箱１１の底面には昇降機構１２が固定的に設けられ、前記昇降機構１２のもう一端は本体１０と連結され、前記昇降機構１２は伸縮することで前記被覆剥がし箱１１の昇降を制御でき、上部に位置する前記被覆剥がし箱１１の左側面には二つの上下対称となる転輪１３が回転可能に設けられている。
【００１８】
好ましくは、前記ケーブル入り空間２４の上壁には第三モーター２３が固定的に嵌められ、前記第三モーター２３の底端には挟持ネジ棒２５が伝動可能に連結され、前記挟持ネジ棒２５は二つの前記長スライド板２２とネジ山により連結され、前記第三モーター２３の作業を制御することにより、前記挟持ネジ棒２５が前記長スライド板２２を互いに近づけ、それにより異なる直径のケーブルに対応できる。
【００１９】
好ましくは、前記ケーブル入り空間２４の底部にある前記本体１０の中には動力空間２７が設けられ、前記動力空間２７の中には二つの左右対称となるスプラインスリーブ２８が回転可能に設けられ、前記動力空間２７の底壁には第四モーター３１が固定的に嵌められ、前記第四モーター３１の上壁は左側に位置する前記スプラインスリーブ２８と伝動可能に連結し、底部に位置する前記長スライド板２２の中には左右対称となる二つのスプライン軸３０が回転可能に設けられ、前記スプライン軸３０の上端には歯車２９が固定的に設けられ、前記歯車２９は前記回転輪２６の前側面と噛み合っており、前記スプライン軸３０の底端は前記スプラインスリーブ２８の中に挿入されて前記スプラインスリーブ２８とスプラインにより連結され、二つの前記スプラインスリーブ２８はベルト３２により連結され、前記第四モーター３１の作業を制御することにより、前記歯車２９を回転させ、さらに前記回転輪２６を回転させ、ケーブルを進ませる。
【００２０】
好ましくは、前記本体１０の底面には左右対称となる二つのねじ山ブロック３４がスライド可能に設けられ、前記ねじ山ブロック３４は前記摩擦板３６と連結棒３５によりヒンジで連結され、前記本体１０の底面には左右に延びる横ネジ棒３３が回転可能に設けられ、前記横ネジ棒３３は前記ねじ山ブロック３４とネジ山により連結され、前記横ネジ棒３３において左側に延びた部分の外周には大歯車３８が固定的に設けられ、前記大歯車３８の後側にはラック４３がスライド可能に設けられ、前記ラック４３は前記大歯車３８と噛み合っており、前記ラック４３のスライドにより、前記大歯車３８は回転し、さらに横ネジ棒３３が回転し、前記摩擦板３６が地面に密着する。
【００２１】
好ましくは、前記本体１０の左側には押圧板４２がヒンジで連結され、前記押圧板４２の底面にはヒンジ棒４１がヒンジで連結され、前記ヒンジ棒４１のもう一端は前記ラック４３とヒンジで連結されている。
【００２２】
使用する時、先ずは手動で押圧板４２を押さえ、ラック４３を下方に移動させ、横ネジ棒３３を回転させることで、摩擦板３６が底面に密着し、装置全体が固定され、そして、手動でケーブルをケーブル入り空間２４の中に置き、第三モーター２３の作業を制御し、挟持ネジ棒２５を回転させ、二つの長スライド板２２は互いに接近し、回転輪２６によりケーブルを挟み、そして、第四モーター３１の作業を制御し、歯車２９が回転輪２６を回転させることで、ケーブルが移動でき、また第一モーター１７の作業を制御し、縦ネジ棒１６を回転させ、ナイフ付き挟み板１５がケーブルに口を切り、第二モーター２０の作業を制御し、スライド板１８を右方にスライドさせることにより、ケーブルの絶縁被覆が剥離し、上部に位置する被覆剥がし箱１１は高い所にあるケーブルに被覆剥がし作業を行うことができる。
【００２３】
上記方式により、本分野の当業者は本願発明の範囲内で作動状況に応じて各種な改変を加えられる。
【要約】
【課題】本願発明は移動に便利なケーブルの絶縁被覆剥がし装置を開示した。
【解決手段】
本体を含み、前記本体の底面には底板が固定的に設けられ、前記底板の底面には二つの固定ブロックが固定的に設けられ、二つの前記固定ブロックにおいて互いに近接した側面にはいずれも摩擦板がヒンジで連結され、前記摩擦板を底面に貼り付けることができ、前記本体の中にはケーブル入り空間が設けられ、前記ケーブル入り空間の中には二つの上下対称となる長スライド板が設けられ、本願発明は、摩擦板と連結棒とを地面に固定して、ローラーの回転によりケーブルを自動的に前方に押し進め、人力でケーブルを引く手間を省き、労力を削減し、効率を向上させる。
【選択図】図１【図１】
0006853431.tif 000002
【図２】
0006853431.tif 000003
【図３】
0006853431.tif 000004
【図４】
0006853431.tif 000005